(57)【要約】【課題】開放した遊技盤取付枠によって隣の遊技者の遊技の邪魔をすることがないパチンコ遊技機の外枠を提供すること。【解決手段】外枠１００は、金属製の上枠２、下枠５、左右側枠３，４と、上枠２と左側枠３とが直交するコーナー部６の外面に固定される金属製連結部材７と、左側枠３の内面における金属製連結部材７との対向位置に固定される固定用金属板部材９と、金属製連結部材７の穿設孔７c，７d、左側枠３の穿設孔３a，３bを順に通り、固定用金属板部材９のねじ孔９a，９bにねじ込まれるビス１２，１３と、固定用金属板部材９に垂設された遊技盤取付枠開放角度規制装置２０とを備え、開放角度規制装置２０は、固定用金属板部材９の連結部９ｃに連結されたワイヤ２１と、ワイヤ２１に連結され、遊技盤取付枠２０１の金属製可動軸部２０３に形成した係止孔部２０３aに着脱可能なフック部材２２とを備える。【選択図】図５
2006149541.tif 000002
【特許請求の範囲】
【請求項１】
上枠、下枠、左右一対の側枠と、
遊技盤取付枠の金属製可動軸部を回動自在に保持する軸受部を有し、かつ前記上枠の一端部と前記一方の側枠の一端部とが直交するコーナー部の外面に固定される断面L字状の金属製連結部材と、
前記一方の側枠の内面における前記金属製連結部材との対向位置に固定される固定用金属板部材と、
前記金属製連結部材の穿設孔、前記一方の側枠の穿設孔を順に通り、前記固定用金属板部材のねじ孔にねじ込まれるビスと、
前記固定用金属板部材に垂設された遊技盤取付枠開放角度規制装置と、を備え、
前記遊技盤取付枠開放角度規制装置は、
前記固定用金属板部材の連結部に一端部が連結された中継部材と、
該中継部材の他端部に連結されたフック部材であって、前記遊技盤取付枠の前記金属製可動軸部に形成した係止孔部に着脱可能なフック部材と、を備える
ことを特徴とするパチンコ遊技機の外枠。
【発明の詳細な説明】
【技術分野】
【０００１】
本発明は、パチンコ遊技機の外枠、詳しくは、遊技盤取付枠を開閉自在に保持する外枠に関する。
【背景技術】
【０００２】
周知のように、パチンコ遊技機は、パチンコホールなど遊技場の設置島に横一列に並べて設置される。各パチンコ遊技機は、外枠と遊技盤取付枠（内枠）とを備えて構成される。外枠は、設置島の遊技機取付窓に固定される。遊技盤取付枠は、外枠に対して開閉自在に取り付けられる。そして、営業中にパチンコ遊技機に不具合が生じたときなどに、遊技場の従業者によって遊技盤取付枠を開放する場合があり、その場合、開放した遊技盤取付枠によって隣の遊技者の遊技が邪魔されるおそれがある。
【０００３】
そこで、従来から、遊技盤取付枠の開放角度を規制する手段を設けたパチンコ遊技機が、例えば特許文献１及び特許文献２に提案されている。
【特許文献１】特開２００４−２０８９６４公報（［０００９］、［００１０］参照）
【特許文献２】特開２００２−２９２０６３公報（［００１２］、図４，５参照）
【発明の開示】
【発明が解決しようとする課題】
【０００４】
しかし、特許文献１に記載される開放角度規制手段によると、ヒンジ部に開放角度を規制するためのピンを設けているため、このピンによって最大開放角度が制限されることになる。このため、遊技場の閉店後のメンテナンス時など、遊技盤取付枠を大きく開放させた方が作業しやすい場合であっても、遊技盤取付枠を大きく開放することができず、作業がしづらくなるという問題がある。
【０００５】
また、特許文献２に記載される開放角度規制手段によると、遊技盤取付枠を開放する際、遊技盤取付枠を開放した後に開放角度規制部材を遊技盤取付枠に取付ける作業を行うことによって遊技盤取付枠の開放角度を規制しているため、遊技盤取付枠を開放し始めてから開放角度規制部材の取付けを終了するまでの間、開放した遊技盤取付枠によって隣の遊技者の遊技を邪魔しないよう十分な注意を払う必要があるとともに、開放角度規制部材を取り付けるための作業が煩雑となる。また、遊技盤取付枠を閉じる際には、開放角度規制部材を遊技盤取付枠から取外す作業を行った後に遊技盤取付枠を閉じるようにしており、開放角度規制部材を取外す作業が煩雑となる。
【０００６】
本発明は、上記の点にかんがみなされたものであり、遊技盤取付枠の開放角度を規制する使用態様と規制しない使用態様の２つの使用態様をとり得る構成とすることによって、隣の遊技者の遊技の邪魔をせずしかも閉店後のメンテナンス時などの作業をしやすくすることができ、さらに、遊技盤取付枠の開閉作業を容易化させることができるパチンコ遊技機の外枠を提供することを目的とする。
【課題を解決するための手段】
【０００７】
本発明によるパチンコ遊技機の外枠は、上枠、下枠、左右一対の側枠と、遊技盤取付枠の金属製可動軸部を回動自在に保持する軸受部を有し、かつ前記上枠の一端部と前記一方の側枠の一端部とが直交するコーナー部の外面に固定される断面L字状の金属製連結部材と、前記一方の側枠の内面における前記金属製連結部材との対向位置に固定される固定用金属板部材と、前記金属製連結部材の穿設孔、前記一方の側枠の穿設孔を順に通り、前記固定用金属板部材のねじ孔にねじ込まれるビスと、前記固定用金属板部材に垂設された遊技盤取付枠開放角度規制装置と、を備え、前記遊技盤取付枠開放角度規制装置は、前記固定用金属板部材の連結部に一端部が連結された中継部材と、該中継部材の他端部に連結されたフック部材であって、前記遊技盤取付枠の前記金属製可動軸部に形成した係止孔部に着脱可能なフック部材と、を備えることを特徴とする。
【０００８】
本発明の外枠において、遊技盤取付枠は、遊技盤取付枠開放角度規制装置のフック部材が遊技盤取付枠の金属製可動軸部の係止孔部に取り付けられた状態で閉じられている場合と、フック部材が係止孔部から外された状態で閉じられている場合がある。
【０００９】
営業中に、フック部材が係止孔部に取り付けられた状態にある遊技盤取付枠を開放するときは、開放角度規制手段を有していない通常のパチンコ遊技機の場合と同様な作業方法で遊技盤取付枠を開放する。この遊技盤取付枠の開放作業により、遊技盤取付枠開放角度規制装置の中継部材が当初の緩んだ状態から伸び切った状態になると、遊技盤取付枠はそれ以上開放しなくなる。このため、開放した遊技盤取付枠によって隣の遊技者の遊技の邪魔をすることがなくなる。そして、遊技盤取付枠が開放状態にあるときに必要な作業を行った後、遊技盤取付枠を閉じるときには、開放角度規制手段を有していない通常のパチンコ遊技機の場合と同様な作業方法で遊技盤取付枠を閉じる。
【００１０】
閉店後のメンテナンス時に、フック部材が係止孔部に取り付けられた状態にある遊技盤取付枠を開放するときは、遊技盤取付枠をある程度開放した後、フック部材を係止孔部から外し、その後遊技盤取付枠を大きく開放する。これにより、メンテナンス作業を容易に行うことができる。
【００１１】
また、営業中に、フック部材が係止孔部から外れた状態にある遊技盤取付枠を開放する場合には、遊技盤取付枠をある程度開放した状態でフック部材を係止孔部に取り付け、その後遊技盤取付枠をさらに開放するようにする。この場合においても、中継部材が伸びきった状態になると、遊技盤取付枠はそれ以上開放しなくなり、開放した遊技盤取付枠によって隣の遊技者の遊技の邪魔をすることがなくなる。
【００１２】
閉店後のメンテナンス時に、フック部材が係止孔部から外れた状態にある遊技盤取付枠を開放する場合には、開放角度規制手段を有していない通常のパチンコ遊技機の場合と同様な作業方法で遊技盤取付枠を大きく開放する。これにより、メンテナンス作業を容易に行うことができる。
【００１３】
このように、本発明の外枠によると、遊技盤取付枠の開放角度を規制する使用態様と規制しない使用態様の２つの使用態様をとり得る構成としたため、隣の遊技者の遊技の邪魔をせずしかも閉店後のメンテナンス時などの作業をしやすくすることができ、さらに、遊技盤取付枠の開閉作業を容易化させることができる。
【発明を実施するための最良の形態】
【００１４】
以下、本発明の実施形態を図面に基づいて説明する。
【００１５】
図１は、本発明の一実施形態に係る外枠に対して遊技盤取付枠などからなる遊技機本体部を開放した状態を示すパチンコ遊技機の斜視図、図２は、遊技機本体部を規制角度まで開放したときのパチンコ遊技機の平面図、図３は、同外枠の斜視図、図４は、同外枠のコーナー部の斜視図、図５は、遊技盤取付枠開放角度規制装置と遊技盤取付枠との関係を示す斜視図、図６は、同外枠のコーナー部の分解断面図をそれぞれ示す。
【００１６】
図１〜図６において、パチンコ遊技機は、外枠１００と遊技機本体部２００とから構成され、遊技機本体部２００は、外枠１００の上下２つの金属製連結部材７，１８に各々形成された軸受部７f，１８aに開閉自在に保持されている。遊技機本体部２００は、遊技盤取付枠（内枠）２０１と前面枠（ガラス枠ユニット）２０２とからなり、前面枠２０２は、遊技盤取付枠２０１の前面に開閉自在に保持されている。
【００１７】
外枠１００は、金属製好ましくはアルミ製の矩形フレームからなる本体部１を備える。本体部１は、上枠２と左側枠３及び右側枠４とを連結固定するとともに、下枠５と左側枠３及び右側枠４とを連結固定することによって一体化されている。
【００１８】
上枠２の一端部と左側枠３の一端部とが直交するコーナー部６は、断面L字状の金属製連結部材７等を用いて連結固定されている。
【００１９】
具体的には、図６に示すように、上枠２と左側枠３は、断面L字状の金属製連結部材７を上枠２の上面及び左側枠３の外面に当てるとともに、２個の固定用金属板部材８，９を各々上枠２の下面及び左側枠３の内面に当て、金属製連結部材７の各穿設孔７a，７b，７c，７d、上枠２の各穿設孔２a，２b及び左側枠３の各穿設孔３a，３bに順にビス１０，１１，１２，１３を通し、各固定用金属板部材８，９のねじ孔８a，８b、９a，９bにビス１０，１１，１２，１３をねじ込むことによって互いに連結固定される。なお、図６において、１４は、上枠２に固定される補助枠板を表しており、ビス１０は、厳密には補助枠板１４の穿設孔１４a内も通る。また、１５，１６，１７は、上枠２を図示しない設置島の遊技機取付窓の上端部に固着するためのビス又は釘などの締着部材を表している。
【００２０】
金属製連結部材７の水平部７eには、遊技盤取付枠２０１に固着された金属製可動軸部２０３を回動自在に保持する軸受部７fが形成されている。
【００２１】
固定用金属板材９には、遊技盤取付枠開放角度規制装置２０が連結されている。
【００２２】
遊技盤取付枠開放角度規制装置２０は、固定用金属板部材９の連結部（係止孔）９ｃに一端部が連結されたワイヤ２１と、ワイヤ２１の他端部に連結されたフック部材２２とを備える。ワイヤ２１の一端部は、係止孔９c内を通りかしめ金具２３をかしめることによって固定用金属板部材９に連結されている。ワイヤ２１の他端部は、フック部材２２の連結部（係止孔）２２aを通りかしめ金具２４をかしめることによってフック部材２２に連結されている。フック部材２２は、遊技盤取付枠２０１の金属製可動軸部２０３に形成した係止孔部２０３aに着脱可能である。
【００２３】
上記構成の外枠１００において、遊技盤取付枠２０１は、遊技盤取付枠開放角度規制装置２０のフック部材２２が遊技盤取付枠２０１の金属製可動軸部２０３の係止孔部２０３aに取り付けられた状態で閉じられている場合と、フック部材２２が係止孔部２０３aから外された状態で閉じられている場合がある。
【００２４】
営業中に、フック部材２２が係止孔部２０３aに取り付けられた状態にある遊技盤取付枠２０１を開放するときは、開放角度規制手段を有していない通常のパチンコ遊技機の場合と同様な作業方法で遊技盤取付枠２０１を開放する。この遊技盤取付枠２０１の開放作業により、遊技盤取付枠開放角度規制装置２０のワイヤ２１が当初の緩んだ状態から伸び切った状態になると、遊技盤取付枠２０１はそれ以上開放できなくなる。このため、開放した遊技盤取付枠２０１によって隣の遊技者の遊技の邪魔をすることがなくなる。そして、遊技盤取付枠２０１が開放状態にあるときに必要な作業を行った後、遊技盤取付枠２０１を閉じるときには、開放角度規制手段を有していない通常のパチンコ遊技機の場合と同様な作業方法で遊技盤取付枠２０１を閉じる。
【００２５】
閉店後のメンテナンス時に、フック部材２２が係止孔部２０３aに取り付けられた状態にある遊技盤取付枠２０１を開放するときは、遊技盤取付枠２０１をある程度開放した後、フック部材２２を係止孔部２０３aから外し、その後遊技盤取付枠２０１を大きく開放する。これにより、メンテナンス作業を容易に行うことができる。
【００２６】
また、営業中に、フック部材２２が係止孔部２０３aから外れた状態にある遊技盤取付枠２０１を開放する場合には、遊技盤取付枠２０１をある程度開放した状態でフック部材２２を係止孔部２０３aに取り付け、その後遊技盤取付枠２０１をさらに開放するようにする。この場合においても、ワイヤ２１が伸びきった状態になると、遊技盤取付枠２０１はそれ以上開放しなくなり、開放した遊技盤取付枠２０１によって隣の遊技者の遊技の邪魔をすることがなくなる。
【００２７】
閉店後のメンテナンス時に、フック部材２２が係止孔部２０３aから外れた状態にある遊技盤取付枠２０１を開放する場合には、開放角度規制手段を有していない通常のパチンコ遊技機の場合と同様な作業方法で遊技盤取付枠２０１を大きく開放する。これにより、メンテナンス作業を容易に行うことができる。
【００２８】
以上説明したように、本実施形態によるパチンコ遊技機の外枠１００は、金属製の上枠２、下枠５、左右一対の側枠３，４と、遊技盤取付枠２０１の金属製可動軸部２０３を回動自在に保持する軸受部７fを有し、かつ上枠２の一端部と一方の側枠３の一端部とが直交するコーナー部６の外面に固定される断面L字状の金属製連結部材７と、一方の側枠３の内面における金属製連結部材７との対向位置に固定される固定用金属板部材９と、金属製連結部材７の穿設孔７c，７d、一方の側枠３の穿設孔３a，３bを順に通り、固定用金属板部材９のねじ孔９a，９bにねじ込まれるビス１２，１３と、固定用金属板部材９に垂設された遊技盤取付枠開放角度規制装置２０と、を備え、遊技盤取付枠開放角度規制装置２０は、固定用金属板部材９の連結部９ｃに一端部が連結されたワイヤ２１と、ワイヤ２１の他端部に連結されたフック部材２２であって、遊技盤取付枠２０１の金属製可動軸部２０３に形成した係止孔部２０３aに着脱可能なフック部材２２と、を備える。
【００２９】
そして、本実施形態の外枠１００によると、遊技盤取付枠２０１の開放角度を規制する使用態様と規制しない使用態様の２つの使用態様をとり得る構成としたため、隣の遊技者の遊技の邪魔をせずしかも閉店後のメンテナンス時などの作業をしやすくすることができ、さらに、遊技盤取付枠の開閉作業を容易化させることができる。
【００３０】
また、上記実施形態においては、フック部材２２が係止孔部２０３aから外れた状態にあるとき、図３に示すように、フック部材２２及びワイヤ２１は、左側枠３の内面側の溝に収納された状態となっている。このため、遊技盤取付枠２０１の開閉時に、遊技盤取付枠開放角度規制装置２０が作業の直接的な支障となることがなく、また、意匠的にも優れる。なお、ワイヤ２１の長さを調節可能にすると、設置島の構成に応じた適切な遊技盤取付枠開放角度を得ることが可能となる。
【００３１】
なお、上記実施形態では、ワイヤ２１を用いた例を示したが、本発明は、ワイヤの代わりにベルトを用いてもよく、長さ調節が可能なベルトを用いた場合には、長さ調節可能なワイヤ２１の場合と同様、設置島の構成に対応した開放角度を設定することができる。また、上枠２、下枠５、左右一対の側枠３，４は、金属製に限定されるものではない。
【図面の簡単な説明】
【００３２】
【図１】本発明の一実施形態に係る外枠に対して遊技盤取付枠などからなる遊技機本体部を開放した状態を示すパチンコ遊技機の斜視図である。
【図２】遊技機本体部を規制角度まで開放したときのパチンコ遊技機の平面図である。
【図３】同外枠の斜視図である。
【図４】同外枠のコーナー部の斜視図である。
【図５】遊技盤取付枠開放角度規制装置と遊技盤取付枠との関係を示す斜視図である。
【図６】同外枠のコーナー部の分解断面図である。
【符号の説明】
【００３３】
１００    外枠
２    上枠
３    左側枠（一方の側枠）
３a，３b    穿設孔
４    右側枠（他方の側枠）
５    下枠
６    コーナー部
７    金属製連結部材
７c，７d    穿設孔
７f    軸受部
９    固定用金属板部材
９a，９b    ねじ孔
９c    連結部
１２，１３    ビス
２０    遊技盤取付枠開放角度規制装置
２１    ワイヤ（中継部材）
２２    フック部材
２０１    遊技盤取付枠
２０３    金属製可動軸部
２０３a    係止孔部
【図１】
2006149541.tif 000003
【図２】
2006149541.tif 000004
【図３】
2006149541.tif 000005
【図４】
2006149541.tif 000006
【図５】
2006149541.tif 000007
【図６】
2006149541.tif 000008